(57)【特許請求の範囲】
【請求項１】
公衆回線に接続され、交換機から送られる呼出信号と、１の相手側装置との回線の閉結中に交換機側から送られる他の相手側装置の識別番号と、通話時におけるアナログ音声信号と、を受信可能なネットワークコントロールユニットと、
前記アナログ音声信号に基づく音出力が可能な受話器スピーカを備えた受話器と、
前記ネットワークコントロールユニットが、１の相手側装置との回線の閉結中に交換機側から送られる他の相手側装置の識別番号を受信中であることを示す報知情報を発生させる報知情報発生回路と、
１の相手側装置との回線の閉結中に交換機側から送られる他の相手側装置の識別番号が非受信状態にある場合、前記ネットワークコントロールユニットと受話器とを電気的に接続する一方、交換機からＣＡＳ信号を受信してから前記識別番号が受信状態にある間、前記ネットワークコントロールユニットと受話器との電気的な接続を開放し、前記受話器と前記報知情報発生回路とを電気的に接続するスイッチ回路と、を備えていることを特徴とする電話装置。
【請求項２】
前記受話器は、前記スイッチ回路における前記受話器と報知情報発生回路との電気的接続を条件として、前記報知情報発生回路による報知情報を、音出力することを特徴とする請求項１に記載の電話装置。
【発明の詳細な説明】
【０００１】
【発明の属する技術分野】
本発明は電話装置に関し、特に、回線の閉結中に交換機側から送られる相手側装置の電話番号を受信可能な電話装置に関するものである。
【０００２】
【従来の技術】
通話中に他から新たな電話がかかってきた場合、簡単な操作で通話相手を切り替えることができる、いわゆるキャッチホンサービスが実用化されている。このキャッチホンサービスにおいて、既にアメリカでは、通話中に新たにかけてきた相手側装置（発呼側装置，発信者）の電話番号（発信者番号）を交換機から送信するサービス（いわゆる通話中情報通知サービス）が実用化されている。電話装置の中には、このサービスにより交換機から送られる発信者番号を受信して、通話中に、その受信した発信者番号を電話装置の表示器（例えば、液晶表示器（ＬＣＤ））へ表示する機能を備えたものがある。よって、この機能を備えた電話装置では、ＬＣＤの表示内容を見ることにより、新たにかけてきた発信者を認識することができる。
【０００３】
【０００４】
【発明が解決しようとする課題】
しかしながら、前記した通話中情報通知サービスにより交換機から送られる発信者番号は、ＦＳＫ（Frequency Shift Keying）信号のデータ中に含まれている。このＦＳＫ信号は通話中に受信されるが、この信号を受信すると耳障りな信号音が受信者の受話器のスピーカから出力される。
【０００５】
本発明は上述した問題点を解決するためになされたものであり、回線の閉結中に交換機側から送られる相手側装置の識別番号の受信に伴う信号音の消音が可能な電話装置を提供することを目的としている。
【０００６】
【課題を解決するための手段】
この目的を達成するために請求項１記載の電話装置は、公衆回線に接続され、交換機から送られる呼出信号と、１の相手側装置との回線の閉結中に交換機側から送られる他の相手側装置の識別番号と、通話時におけるアナログ音声信号と、を受信可能なネットワークコントロールユニットと、前記アナログ音声信号に基づく音出力が可能な受話器スピーカを備えた受話器と、前記ネットワークコントロールユニットが、１の相手側装置との回線の閉結中に交換機側から送られる他の相手側装置の識別番号を受信中であることを示す報知情報を発生させる報知情報発生回路と、１の相手側装置との回線の閉結中に交換機側から送られる他の相手側装置の識別番号が非受信状態にある場合、前記ネットワークコントロールユニットと受話器とを電気的に接続する一方、交換機からＣＡＳ信号を受信してから前記識別番号が受信状態にある間、前記ネットワークコントロールユニットと受話器との電気的な接続を開放し、前記受話器と前記報知情報発生回路とを電気的に接続するスイッチ回路と、を備えている。
【０００７】
請求項１記載の電話装置によれば、１の相手側装置との回線の閉結中に交換機側から送られる他の相手側装置の識別番号が受信されると、その識別番号の受信中、ネットワークコントロールユニットと受話器との電気的な接続を開放する。
【０００８】
【０００９】
請求項２記載の電話装置は、請求項１に記載の電話装置において、前記受話器は、前記スイッチ回路における前記受話器と報知情報発生回路との電気的接続を条件として、前記報知発生回路による報知情報を、音出力することを特徴とする。
【００１０】
【００１１】
【００１２】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。
【００１３】
本体２の上面前部には複数のキー４ａを備えた操作パネル４が設けられ、その操作パネル４の左端部には、上から順に切替キー４ｂとストップキー４ｃとが設けられている。
【００１４】
切替キー４ｂは、接続されている電話回線を１の相手側装置と新たに着呼のあった相手側装置との間で切り替えるためのものである。１の相手側装置との通話中に新たな着呼があると、本体２に設けられた後述するスピーカ２８からビープ音が鳴動（出力）されるが、そのビープ音が鳴動されている間に、受信者によってこの切替キー４ｂが押下されると、電話回線の接続が１の（通話中の）相手側装置から新たに着呼のあった相手側装置へ切り替えられるとともに、ビープ音の鳴動が停止される。
【００１５】
ストップキー４ｃは、本体２のスピーカ２８から出力されているビープ音を停止するためのものである。ビープ音の鳴動が必要なくなった場合に、受信者によってストップキー４ｃが押下されると、ビープ音の鳴動が停止される。
【００１６】
操作パネル４の左後部には、文字や記号を表示するための液晶表示器（ＬＣＤ）５が設けられている。ファクシミリ装置１は、この操作パネル４上に設けられた各キー４ａが押下されることにより操作されるとともに、その操作状態や操作手順などがＬＣＤ５に表示される。
【００１７】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。本体２の一側面には、通話中に新たな着呼があった場合の報知を行うためのスピーカ２８が設けられている。
【００１８】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、震動回路１７、擬似リング発振回路１８、ネットワーク・コントロール・ユニット（以下「ＮＣＵ１９」と称す）１９、モデム２０、バッファ２１、音声ＬＳＩ２２、スキャナ２３、符号化部２４、復号化部２５、プリンタ２６、操作パネル４、アンプ２７及び時計回路３３が設けられ、これらはバスライン３０を介して相互に接続されている。
【００１９】
ＮＣＵ１９は回線制御を行うためのものであり、ファクシミリ装置１はこのＮＣＵ１９を介して電話回線３１に接続されている。ＮＣＵ１９は、交換機２９から送られる呼出信号やＦＳＫ（Frequency Shift Keying）信号などの各種信号を受信するとともに、操作パネル４上のキー４ａ操作に応じた発信時のダイヤル信号を交換機２９へ送信したり、更には通話時におけるアナログ音声信号の送受信を行うためのものである。ここで、ＦＳＫ信号は、上述した通話中情報通知サービスによって交換機２９から送られる信号であり、そのＦＳＫ信号のデータ中に相手側装置の電話番号（発信者番号）を示す情報が含まれている。なお、発信者が電話番号の送信を拒否している場合には、ＦＳＫ信号のデータ中に発信者番号を送信することができない旨の情報が含まれる。
【００２０】
ＣＰＵ１１は、ＮＣＵ１９を介して送受信される各種信号に従って、バスライン３０により接続された各部を制御し、ファクシミリ動作や電話動作、即ち、データ通信を実行するものである。時計回路３３は時刻の計時を行うためのものであり、時計回路３３によって計時された時刻はＣＰＵ１１によって読み出され、各処理に使用される。ＲＯＭ１２は、このファクシミリ装置１で実行される制御プログラムなどを格納した書換不能なメモリであり、図４から図６までのフローチャートに示すプログラムはこのＲＯＭ１２内に格納されている。
【００２１】
ＥＥＰＲＯＭ１３は書換可能な不揮発性のメモリであり、ＥＥＰＲＯＭ１３へ記憶されたデータは、ファクシミリ装置１の電源オフ後も保持される。このＥＥＰＲＯＭ１３は、相手側装置メモリ１３ａと、ビープ音間隔カウンタ１３ｄとを備えている。相手側装置メモリ１３ａは、予め、相手側装置の電話番号（発信者番号）と、その相手側装置の名称とを互いに対応つけて記憶するためのメモリである。図３に、その相手側装置メモリ１３ａの構成を模式的に示す。
【００２２】
図３に示すように、相手側装置メモリ１３ａには、電話番号エリア１３ｂと、名称エリア１３ｃとが設けられている。電話番号エリア１３ｂは、発信者番号を記憶するためのエリアである。一方、名称エリア１３ｃは、電話番号エリア１３ｂに記憶されている電話番号の相手側装置に対応する名称を記憶するためのエリアである。なお、電話番号エリア１３ｂのデータおよび名称エリア１３ｃのデータは、受信者による操作パネル４上のキー４ａ操作によって、互いに対応つけて記憶されている。
【００２３】
図２に示すビープ音間隔カウンタ１３ｄは、後述する処理において参照され、本体２のスピーカ２８からビープ音（ピピッ）を鳴動（出力）する間隔（時間）を記憶するためのカウンタである。なお、このビープ音間隔カウンタ１３ｄのデータは、受信者による操作パネル４上のキー４ａ操作によって記憶される。
【００２４】
日本などでは、新たに着呼のあった相手側装置の呼出が継続している間、交換機２９からＳＡＳ信号が約４秒（ｓ）ごとに繰り返し送られ、そのＳＡＳ信号を受信するタイミングによって、受話器３のスピーカから割り込み音としてビープ音が繰り返し出力される。このため、その割り込み音の継続状態により、新たに着呼のあった発信者からの呼出が継続しているか否かを受信者は確認することができる。
【００２５】
しかし、アメリカなどでは、新たに着呼のあった相手側装置の呼出が継続していても、かかるＳＡＳ信号の送信は、約１０ｓの間隔を空けて２回行われるだけであり、聞き逃す可能性がある。そこで、受話器３のスピーカからビープ音が鳴動された後、更に、本体２のスピーカ２８から上記ビープ音間隔カウンタ１３ｄの値ごとにビープ音を繰り返し鳴動させることで、アメリカなどのように、交換機２９からＳＡＳ信号が継続して送信されない場合においても、新たな着呼があったことを受信者に対して継続して報知することができる。
【００２６】
なお、ファクシミリ装置１が通話中情報通知サービスに加入していない場合には、ビープ音間隔カウンタ１３ｄの値ごとにビープ音を鳴動させることなく、交換機２９から送られるＳＡＳ信号の受信に基づいて呼出音を鳴動するように構成しても良い。
【００２７】
ＲＡＭ１４は、ファクシミリ装置１の各動作の実行時に各種のデータを一時的に記憶するためのメモリであり、発信者番号メモリ１４ａを備えている。
【００２８】
発信者番号メモリ１４ａは、１の相手側装置との通話中に新たな着呼があった場合、上述した通話中情報通知サービスによって交換機２９から送られる発信者番号を一時的に記憶するためのメモリである。このため、通話中に新たな着呼があっても交換機２９から発信者番号が送信されない場合には、発信者番号メモリ１４ａの内容を「０」クリアしている。従って、発信者番号メモリ１４ａの内容を調べて、「０」でなければ、発信者番号メモリ１４ａに記憶される電話番号の相手側装置からの着呼であると判断でき、一方、発信者番号メモリ１４ａの内容が「０」であれば、通話中に新たに着呼のあった相手側装置の電話番号（発信者番号）が交換機２９から送信されなかったと判断することができる。
【００２９】
画像メモリ１５は、通信履歴や、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２６によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、受信者へ報知されるメッセージや、相手側装置へ送出される応答メッセージ、更には、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００３０】
震動回路１７は、受話器３を震動するためのものであり、この震動により受信者に対して新たな着呼が報知される。なお、本実施例では、震動回路１７による受話器３の震動は、受話器３のスピーカからビープ音が出力された後に行われるが、受話器３のスピーカからのビープ音の出力中に受話器３を震動させるようにしても良い。
【００３１】
擬似リング発振回路１８は、擬似リングを発生するためのものであり、ファクシミリ装置１の電源と連動している。即ち、ファクシミリ装置１の電源をオンすれば擬似リング発振回路１８もオンされ、電源をオフすれば擬似リング発振回路１８もオフされる。スイッチＳＷは、始め接点Ａ（ＮＣＵ１９側）に接続されており、上述したＦＳＫ信号を受信する際に、接点Ａから接点Ｂへ、即ち、ＮＣＵ１９側から擬似リング発振回路１８側へ切り替えられる。これにより、受話器３とＮＣＵ１９との接続が切断されるとともに、擬似リング発振回路１８で発生された擬似リングが受話器３のスピーカからビープ音として出力される。よって、ＦＳＫ信号の受信に伴い耳障りな信号音を消音するために、受話器３とＮＣＵ１９との接続が切断されて通話が途切れても、擬似リングにより、その通話の途切れがＦＳＫ信号の受信であることを受信者に認識させることができる。なお、擬似リング発振回路１８のオンオフは、必ずしもファクシミリ装置１の電源と連動させる必要はなく、ＣＰＵ１１により擬似リング発振回路１８のオンオフを制御するように構成しても良い。
【００３２】
音声ＬＳＩ２２は、ＮＣＵ１９によって受信されたアナログ音声信号をデジタル音声信号に変換する音声認識処理を行うとともに、ファクシミリ装置１の内部で生成されたデジタル音声信号をアナログ音声信号に変換して、ＮＣＵ１９やスピーカ２８（アンプ２７）へ出力する音声合成処理を行うためのものである。
【００３３】
モデム２０は、画情報を変調および復調して伝送するとともに伝送制御用の各種手順信号を送受信するためのものであり、交換機２９から送られる発信者番号（ＦＳＫ信号）は、このモデム２０によって復調される。
【００３４】
バッファ２１は、相手側ファクシミリ装置との間で送受信される符号化された画情報を含むデータを一時的に格納するためのものである。スキャナ２３は、原稿挿入口６に挿入された原稿から画像を読み取るためのものであり、符号化部２４は、スキャナ２３により読み取られた画像の符号化を行うものである。復号化部２５は、バッファ２１又は画像メモリ１５に記憶された受信画像データを読み出して、これを復号化するためのものであり、復号化されたデータはプリンタ２６によって記録紙に印刷される。
【００３５】
操作パネル４は、受信者（操作者）がこのファクシミリ装置１の設定等を行う場合に各種の操作を行うためのものであり、前記したように、ＥＥＰＲＯＭ１３の相手側装置メモリ１３ａ及びビープ音間隔カウンタ１３ｄのデータは、受信者（操作者）による操作パネル４上のキー４ａ操作によって記憶（入力）される。アンプ２７は、そのアンプ２７に接続されているスピーカ２８を鳴動して、通話中に新たな着呼があったことを報知するためのビープ音を鳴動（出力）したり、或いは、新たに着呼のあった相手側装置の電話番号や名称などを音声により出力するためのものである。
【００３６】
このように構成されたファクシミリ装置１は、ＮＣＵ１９を介して、電話回線３１に接続されている。電話回線３１は、ファクシミリ装置１の交換機２９に接続され、交換機２９は、電話回線３２を介して、他の交換機に接続されている。なお、他の交換機は、更に電話回線を介して、相手側装置に接続されている。
【００３７】
次に、図４から図６までのフローチャートを参照して、上記のように構成されたファクシミリ装置１の動作について説明する。図４は、キャッチホン処理を示したフローチャートである。図４に示すように、ファクシミリ装置１は、１の相手側装置との電話回線の閉結中に、新たな着呼があったことを通知するＳＡＳ（Subscriber Alerting Signal）信号の受信を待機しており（Ｓ１：Ｎｏ）、ＳＡＳ信号を受信すれば（Ｓ１：Ｙｅｓ）、新たに着呼のあった相手側装置の電話番号（発信者番号）を通知することを示すＣＡＳ（Customer Premises Equipment Alerting Signal（CPE Alerting Signal））信号を受信したか否かを確認する（Ｓ２）。
【００３８】
交換機２９からＣＡＳ信号を受信すれば（Ｓ２：Ｙｅｓ）、スイッチＳＷを接点Ａから接点Ｂへ、即ち、ＮＣＵ１９側から擬似リング発振回路１８側へ切り替えて（Ｓ３）、受話器３をＮＣＵ１９から切り離すとともに、受話器３のスピーカから擬似リングを出力する。その後、発信者番号が受信可能になったことを示すＡＣＫ（Acknowledgment）信号を交換機２９へ送信する（Ｓ４）。ＡＣＫ信号の送信後、通話中情報通知サービスにより交換機２９から送られるＦＳＫ信号が継続している間（Ｓ５：Ｙｅｓ）、Ｓ５の処理を繰り返し、ＦＳＫ信号の受信が終了すれば（Ｓ５：Ｎｏ）、スイッチＳＷを接点Ｂから接点Ａへ、即ち、擬似リング発振回路１８側からＮＣＵ１９側へ切り替える。なお、Ｓ２の処理において、ＣＡＳ信号を受信しなければ（Ｓ２：Ｎｏ）、ファクシミリ装置１は通話中情報通知サービスに加入しておらず、交換機２９からＦＳＫ信号は送信されないので、Ｓ３からＳ６までの処理をスキップする。
【００３９】
このようにＦＳＫ信号を受信する際には、スイッチＳＷが接点Ａから接点Ｂへ、即ち、ＮＣＵ１９側から擬似リング発振回路１８側へ切り替えられる。この切り替えによって、受話器３とＮＣＵ１９との接続が一旦、切断されるとともに、擬似リング発振回路１８で発生した擬似リングが受話器３のスピーカ２８からビープ音として出力される。よって、スイッチＳＷが接点Ａから接点Ｂへ切り替わることにより通話が途切れても、その通話の途切れがＦＳＫ信号の受信であることを受信者に認識させることができる。
【００４０】
また、スイッチＳＷが接点Ａから接点Ｂへ切り替えられることにより、ＦＳＫ信号の受信に伴う信号音の消音と、受話器３のスピーカからのビープ音の出力とが同時に行われるので、信号音の消音動作と報知動作とを簡易かつ迅速に実行することができるのである。
【００４１】
Ｓ６の処理の後、図５に示す音声出力処理を実行する（Ｓ７）。図５の音声出力処理は、１の相手側装置との回線の閉結中に新たな着呼があったことを本体２の一側面に設けられたスピーカ２８から音声出力するための処理である。
【００４２】
まず、受話器３の震動を開始し（Ｓ１１）、その後、発信者番号を受信したか否かを判断する（Ｓ１２）。判断の結果、発信者番号を受信した場合には（Ｓ１２：Ｙｅｓ）、即ち、交換機２９から送られたＦＳＫ信号のデータ中に発信者番号がある場合には、発信者番号を発信者番号メモリ１４ａへ書き込む（Ｓ１３）。書き込み後、発信者番号メモリ１４ａの内容が電話番号エリア１３ｂに記憶されているか否かを確認する（Ｓ１４）。発信者番号メモリ１４ａの内容が電話番号エリア１３ｂに記憶されている場合には（Ｓ１４：Ｙｅｓ）、発信者番号メモリ１４ａの内容と同一の電話番号に対応する名称エリア１３ｃの内容をスピーカ２８から音声出力する（Ｓ１５）。
【００４３】
このように受信した発信者番号が電話番号エリア１３ｂに記憶されている場合には、その受信した発信者番号と同一の電話番号に対応して名称エリア１３ｃに記憶されている相手側装置の名称が、受話器３のスピーカではなく、本体２のスピーカ２８から音声により出力される。よって、通話と混在することなく、受信者に対して相手側装置（発信者）を認識させつつ、新たな着呼を報知することができるのである。
【００４４】
Ｓ１４の処理において、発信者番号メモリ１４ａの内容が電話番号エリア１３ｂに記憶されていない場合には（Ｓ１４：Ｎｏ）、発信者番号メモリ１４ａの内容をスピーカ２８から音声出力する（Ｓ１６）。
【００４５】
一方、本ファクシミリ装置１が通話中情報通知サービスに加入していても、発信者が電話番号の送信を拒否している場合には、交換機２９から送られるＦＳＫ信号のデータ中に発信者番号は含まれていないので、発信者番号を受信することができない。また、Ｓ２の処理において、交換機２９から送られるＣＡＳ信号を受信しなければ、ファクシミリ装置１は通話中情報通知サービスに加入していないため、発信者番号（ＦＳＫ信号）を受信することができない。よって、かかる場合には（Ｓ１２：Ｎｏ）、「キャッチホンが入りました。」とスピーカ２８から音声出力して、新たな着呼を報知するのである（Ｓ１７）。なお、本体２のスピーカ２８からの音声出力後（Ｓ１５，Ｓ１６，Ｓ１７）、受話器３の震動を終了して（Ｓ１８）、この音声出力処理を終了する。
【００４６】
このように発信者番号を受信することができなかった場合には、受話器３のスピーカとは別体に設けられた本体２のスピーカ２８より新たな着呼が報知される。よって、通話と混在することなく、新たな着呼を受信者に対して報知することができる。また、通話中に新たな着呼があった場合には、受話器３が震動されるので、通話と混在することなく、新たな着呼を受信者に対して報知することができるのである。
【００４７】
音声出力処理の終了後（Ｓ７）、処理を図４のＳ８へ移行し、図６に示すビープ音出力処理を実行する。図６のビープ音出力処理は、本体２の一側面に設けられたスピーカ２８から所定の間隔（時間）ごとにビープ音（ピピッ）を鳴動（出力）するための処理である。
【００４８】
図６に示すように、まず、時計回路３３の時間を読み取り、ビープ音間隔カウンタ１３ｄの値分の計時を開始する（Ｓ２１）。計時開始後、受信者によって切替キー４ｂ、或いは、ストップキー４ｃが押下されなければ（Ｓ２２：Ｎｏ，Ｓ２３：Ｎｏ）、時計回路３３の時間を監視して、Ｓ２１の処理で読み取った時計回路３３の時間からビープ音間隔カウンタ１３ｄに記憶されている値分の時間が経過するまでの間（Ｓ２４：Ｎｏ）、Ｓ２２からＳ２４までの処理を繰り返す。
【００４９】
一方、ビープ音間隔カウンタ１３ｄに記憶されている値分の時間が経過し計時を終了すれば（Ｓ２４：Ｙｅｓ）、本体２のスピーカ２８からビープ音（ピピッ）を出力する（Ｓ２５）。出力後、処理をＳ２１へ移行し、切替キー４ｂ、或いは、ストップキー４ｃが押下されるまでの間（Ｓ２２：Ｎｏ，Ｓ２３：Ｎｏ）、Ｓ２１からＳ２５までの処理を繰り返す。
【００５０】
Ｓ２２の処理において、受信者によって切替キー４ｂが押下されれば（Ｓ２２：Ｙｅｓ）、通話相手を新たに着呼のあった発信者へ切り替えて（Ｓ２６）、このビープ音出力処理を終了する。また、Ｓ２３の処理において、受信者によってストップキー４ｃが押下されれば（Ｓ２３：Ｙｅｓ）、このビープ音出力処理を終了する。なお、ビープ音出力処理の終了後は、処理を図４へ移行し、図４に示すキャッチホン処理を終了する。
【００５１】
このようにビープ音間隔カウンタ１３ｄの値ごとに本体２のスピーカ２８からビープ音が出力されるので、交換機２９からＳＡＳ信号が繰り返し送信されない場合においても、通話と混在することなく、受信者に対して新たな着呼を継続して（繰り返して）報知することができるのである。
【００５２】
【００５３】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５４】
例えば、本実施例のファクシミリ装置１では、Ｓ３からＳ５の処理において、ＣＡＳ信号を受信した場合に、スイッチＳＷが接点Ａから接点Ｂへ（即ち、ＮＣＵ１９側から擬似リング発振回路１８側へ）切り替えられ、受話器３とＮＣＵ１９との接続が一旦切断されて、ＦＳＫ信号の受信に伴う信号音が消音されるとともに、擬似リング発振回路１８で発生した擬似リングが受話器３のスピーカからビープ音として出力される。しかし、これに代えて、ＦＳＫ信号の受信に伴う信号音の消音とともに本体２のスピーカ２８からビープ音を出力するように構成しても良いし、或いは、ＦＳＫ信号の受信に伴う信号音の消音とともに受話器３を震動するように構成しても良い。このように構成することにより、ＦＳＫ信号の受信に伴う信号音の消音によって通話が途切れても、その通話の途切れがＦＳＫ信号の受信であることを受信者に認識させることができる。ＦＳＫ信号を受信するということは、通話中に新たな着呼があったということであるので、耳障りな信号音を消音しつつ、通話中に新たな着呼があったことを受信者に対して報知することができるのである。
【００５５】
また、本実施例では、Ｓ１２の処理において、発信者が電話番号の送信を拒否している場合と、交換機２９から送られるＣＡＳ信号を受信しなかった場合との両方の場合において同一の処理、即ち、「キャッチホンが入りました。」とスピーカ２８から音声出力される。しかし、これに代えて、ファクシミリ装置１が通話中情報通知サービスに加入していても、発信者が電話番号の送信を拒否している場合には、電話番号の送信を拒否している（番号通知拒否の）相手からの呼出であることを音声で報知するように構成にしても良い。
【００５６】
また、本実施例では、ファクシミリ装置１が通話中情報通知サービスに加入していなければ、即ち、Ｓ２の処理においてＣＡＳ信号を受信しなければ、Ｓ３からＳ６の処理をスキップして、Ｓ７（図５）の音声出力処理およびＳ８（図６）のビープ音出力処理が実行される。しかし、これに代えて、Ｓ２の処理においてＣＡＳ信号を受信しなければ、Ｓ７及びＳ８の処理を実行することなく、交換機２９から送られるＳＡＳ信号の受信に基づいて呼出音を鳴動するように構成しても良い。
【００５７】
また、本実施例では、Ｓ７（図５）及びＳ８（図６）の処理は、ＳＡＳ信号の受信に伴って必ず実行される。しかし、Ｓ７及びＳ８の処理の実行、非実行の選択を、受信者による操作パネル４上のキー４ａ操作によって、それぞれ設定するように構成しても良い。
【００５８】
また、本実施例では、Ｓ８（図６）の処理において、受信者により切替キー４ｂ若しくはストップキー４ｃが押下されるまでの間、ビープ音間隔カウンタ１３ｄの値ごとに本体２のスピーカ２８からビープ音を鳴動している。しかし、これに加えて、所定時間経過後にビープ音を停止するためのカウンタ等を設け、Ｓ６の処理において、受信者により切替キー４ｂ若しくはストップキー４ｃが押下されなくても、所定時間経過した場合には、ビープ音の鳴動を停止するように構成しても良い。
【００５９】
【発明の効果】
請求項１記載の電話装置によれば、１の相手側装置との回線の閉結中に交換機側から送られる他の相手側装置の識別番号受信に伴う耳障りな信号音を消音することができるという効果がある。
【００６０】
また、請求項１記載の電話装置によれば、さらに、簡易な構成で信号音の消音動作と同時に、ネットワークコントロールユニットにより他の相手側装置の識別番号が受信されていることを、受信者に対して報知することができるという効果がある。
【００６１】
請求項２記載の電話装置によれば、請求項１に記載の電話装置の奏する効果に加え、更に、信号音の消音に伴って通話が途切れても、その通話の途切れがネットワークコントロールユニットによる他の相手側装置の識別番号の受信であることを受信者に認識させることができるという効果がある。また、他の相手側装置の識別番号を受信するということは、通話中に新たな着呼があったということであるので、耳障りな信号音を消音しつつ、通話中に新たな着呼があったことを受信者に対して報知することができるという効果がある。
【００６２】
【００６３】
【図面の簡単な説明】
【図１】  本発明の一実施例であるファクシミリ装置の斜視図である。
【図２】  上記ファクシミリ装置の電気的構成を示したブロック図である。
【図３】  ＥＥＰＲＯＭ内の相手側装置メモリの構成を模式的に示した図である。
【図４】  キャッチホン処理を示したフローチャートである。
【図５】  音声出力処理を示したフローチャートである。
【図６】  ビープ音出力処理を示したフローチャートである。
【符号の説明】
１          ファクシミリ装置（電話装置）
３          受話器（受話器スピーカを備える）
１３        ＥＥＰＲＯＭ
１３ａ      相手側装置メモリ（情報記憶手段）
１３ｂ      電話番号エリア
１３ｃ      名称エリア
１７        震動回路（震動手段）
１８        擬似リング発振回路（報知情報発生回路）
１９        ネットワークコントロールユニット（ＮＣＵ）（受信手段の一部）
２０        モデム（受信手段の一部）
２１        バッファ（受信手段の一部）
２２        音声ＬＳＩ
２８        スピーカ（本体スピーカ）
２９        交換機
３１，３２  電話回線（公衆回線）
ＳＷ        スイッチ（スイッチ回路）
【図１】
0004226688.tif 000002
【図２】
0004226688.tif 000003
【図３】
0004226688.tif 000004
【図４】
0004226688.tif 000005
【図５】
0004226688.tif 000006
【図６】
0004226688.tif 000007